(57)【要約】【課題】スライドリングの交換により眼内レンズ挿入器具の摺動抵抗を容易に調整することができるスライドリング及びこのスライドリングを用いた眼内レンズ挿入器具を提供すること。【解決手段】  ゴム状弾性材料から円環状に形成されたリング本体２と、前記リング本体２に形成された複数の突起３を備え、前記複数の突起３は、前記リング本体２の外周側に位置する円筒体の内周面、又は、該リング本体の内周側に位置する円柱の外周面に対して摺接するように、前記リング本体２の内周に、又は外周に、或いは内周及び外周に、突出した形状を有していることを特徴とする。【選択図】図２
2019154582.tif 000002
【特許請求の範囲】
【請求項１】
ゴム状弾性材料から円環状に形成されたリング本体と、
前記リング本体に形成された複数の突起を備え、
前記複数の突起は、前記リング本体の外周側に位置する円筒体の内周面、又は、該リング本体の内周側に位置する円柱の外周面に対して摺接するように、前記リング本体の内周に、又は外周に、或いは内周及び外周に、突出した形状を有していることを特徴とするスライドリング。
【請求項２】
前記複数の突起は、前記リング本体とは別体に形成されるか、又は一体に形成されることを特徴とする請求項１記載のスライドリング。
【請求項３】
前記複数の突起は、偶数個設ける場合には前記リング本体の軸回りの点対称の位置又は前記リング本体の差渡しに対して線対称の位置に、奇数個設ける場合には前記リング本体の差渡しに対して線対称の位置に形成されていることを特徴とする請求項１又は２記載のスライドリング。
【請求項４】
前記複数の突起は、前記リング本体の周方向に沿って、等角度間隔で形成されることを特徴とする請求項１、２又は３記載のスライドリング。
【請求項５】
前記複数の突起は、３箇所設けられることを特徴とする請求項１〜４の何れかに記載のスライドリング。
【請求項６】
前記複数の突起の各々は、複数の小突起の集合からなることを特徴とする請求項１〜５の何れかに記載のスライドリング。
【請求項７】
前記複数の突起は、互いに同一形状に形成されていることを特徴とする請求項１〜６の何れかに記載のスライドリング。
【請求項８】
前記突起は、前記リング本体の内周部及び外周部に形成されており、前記リング本体の外周側に位置する円筒内周面及び該リング本体の内周側に位置する円柱外周面の何れにも摺接することが可能である特徴とする請求項１〜７の何れかに記載のスライドリング。
【請求項９】
円筒体のシリンダと、
前記シリンダ内に収納され、後端部に押出し操作部を有する円柱のプランジャと、
前記プランジャの先端部に設けられたレンズ保持機構と、
前記シリンダの内周、又は、前記プランジャの外周に保持されると共に摺接する請求項１〜８の何れかに記載のスライドリングとを備え、
前記スライドリングは、前記押出し操作部が押圧されて前記プランジャが前記シリンダに対して移動するときに、摺動抵抗を生じさせることを特徴とする眼内レンズ挿入器具。
【発明の詳細な説明】
【技術分野】
【０００１】
本発明は、スライドリング及び眼内レンズ挿入器具に関し、詳しくは、スライドリングの交換により眼内レンズ挿入器具の摺動抵抗を容易に調整することができるスライドリング及びこのスライドリングを用いた眼内レンズ挿入器具に関する。
【背景技術】
【０００２】
白内障手術は、混濁した水晶体を超音波乳化吸引によって除去し、その後の眼内に人工の眼内レンズを埋植する。眼内レンズの埋植には、眼内レンズ挿入器具が用いられる。眼内レンズ挿入器具は、先端部にレンズ保持機構が設けられたプランジャ（押出し棒）が、シリンダ（外筒体）内に移動可能に収納されている。
【０００３】
眼内レンズ挿入器具は、術者がシリンダを手指によって保持し、プランジャの後端部を押圧することにより、レンズ保持機構を眼球側に押出し、レンズ保持機構によって保持されていた眼内レンズを眼内に埋植する。
【０００４】
プランジャをシリンダに対して移動させるときには、これらの間に所定の移動抵抗がないと、プランジャの操作感（移動している感覚）がないので、眼内レンズを勢いよく飛び出させてしまう虞がある。
【０００５】
従来、プランジャとシリンダとの間に移動抵抗を生じさせるため、これらの何れかに円環突条を設けて摺動抵抗を生じさせるもの（特許文献１）や、これらの間にスライドリング（Ｏリング）を介在させて摺動抵抗を生じさせるもの（特許文献２）が知られている。
【先行技術文献】
【特許文献】
【０００６】
【特許文献１】特開２００７−１８１６０４号公報
【特許文献２】特開２００４−１１３６１０号公報
【発明の概要】
【発明が解決しようとする課題】
【０００７】
特許文献１に記載された眼内レンズ挿入器具では、プランジャ又はシリンダに円環突条が一体形成されており、プランジャ又はシリンダの追加加工が必要であるため、高コストとなっている。また、プランジャ及びシリンダの間の摺動抵抗を変更するためには、プランジャ又はシリンダの再加工や交換が必要であり、コストや手間がかかる。
【０００８】
また、特許文献２では、摺動抵抗の調整用にスライドリングを押し付ける別部材が必要で、スライドリングを交換しても眼内レンズ挿入器具の摺動抵抗を調整することが困難であった。
【０００９】
そこで、本発明の課題は、スライドリングの交換により眼内レンズ挿入器具の摺動抵抗を容易に調整することができるスライドリング及びこのスライドリングを用いた眼内レンズ挿入器具を提供することにある。
【００１０】
本発明の他の課題は、以下の記載によって明らかとなる。
【課題を解決するための手段】
【００１１】
上記課題は、以下の各発明によって解決される。
【００１２】
（請求項１）
ゴム状弾性材料から円環状に形成されたリング本体と、
前記リング本体に形成された複数の突起を備え、
前記複数の突起は、前記リング本体の外周側に位置する円筒体の内周面、又は、該リング本体の内周側に位置する円柱の外周面に対して摺接するように、前記リング本体の内周に、又は外周に、或いは内周及び外周に、突出した形状を有していることを特徴とするスライドリング。
（請求項２）
前記複数の突起は、前記リング本体とは別体に形成されるか、又は一体に形成されることを特徴とする請求項１記載のスライドリング。
（請求項３）
前記複数の突起は、偶数個設ける場合には前記リング本体の軸回りの点対称の位置又は前記リング本体の差渡しに対して線対称の位置に、奇数個設ける場合には前記リング本体の差渡しに対して線対称の位置に形成されていることを特徴とする請求項１又は２記載のスライドリング。
（請求項４）
前記複数の突起は、前記リング本体の周方向に沿って、等角度間隔で形成されることを特徴とする請求項１、２又は３記載のスライドリング。
（請求項５）
前記複数の突起は、３箇所設けられることを特徴とする請求項１〜４の何れかに記載のスライドリング。
（請求項６）
前記複数の突起の各々は、複数の小突起の集合からなることを特徴とする請求項１〜５の何れかに記載のスライドリング。
（請求項７）
前記複数の突起は、互いに同一形状に形成されていることを特徴とする請求項１〜６の何れかに記載のスライドリング。
（請求項８）
前記突起は、前記リング本体の内周部及び外周部に形成されており、前記リング本体の外周側に位置する円筒内周面及び該リング本体の内周側に位置する円柱外周面の何れにも摺接することが可能である特徴とする請求項１〜７の何れかに記載のスライドリング。
（請求項９）
円筒体のシリンダと、
前記シリンダ内に収納され、後端部に押出し操作部を有する円柱のプランジャと、
前記プランジャの先端部に設けられたレンズ保持機構と、
前記シリンダの内周、又は、前記プランジャの外周に保持されると共に摺接する請求項１〜８の何れかに記載のスライドリングとを備え、
前記スライドリングは、前記押出し操作部が押圧されて前記プランジャが前記シリンダに対して移動するときに、摺動抵抗を生じさせることを特徴とする眼内レンズ挿入器具。
【発明の効果】
【００１３】
本発明によれば、スライドリングの交換により眼内レンズ挿入器具の摺動抵抗を容易に調整することができるスライドリング及びこのスライドリングを用いた眼内レンズ挿入器具を提供することができる。
【図面の簡単な説明】
【００１４】
【図１】本発明の実施形態に係る眼内レンズ挿入器具の構成を示す側面図
【図２】本発明の第１の実施形態に係るスライドリングの形状を示す斜視図
【図３】図２に示したスライドリングの形状を示す横断面図
【図４】図２に示したスライドリングの他の構成例を示す平面図
【図５】図２に示したスライドリングの他の構成例を示す横断面図
【図６】図２に示したスライドリングのさらに他の構成例を示す横断面図
【図７】図２に示したスライドリングのさらに他の構成例を示す横断面図
【図８】突起をリング本体の外周部のみに設けたスライドリングの形状を示す横断面図
【図９】突起をリング本体の内周部のみに設けたスライドリングの形状を示す横断面図
【発明を実施するための形態】
【００１５】
以下、本発明の実施の形態について、図面を参照しながら説明する。
【００１６】
白内障手術により眼内に埋植される眼内レンズには、光学部がポリメチルメタクリレート（ＰＭＭＡ）などの硬質材料からなる硬質眼内レンズと、シリコーンエラストマ、軟質アクリル、ハイドロゲルなどの柔らかい材料からなる軟質眼内レンズがある。軟質眼内レンズは、光学部を折り畳むことにより、角膜又は強膜の小さな切開創から眼球内に挿入することができる。切開創が小さいことは、手術後の角膜乱視や感染症の危険性の回避のために好ましい。
【００１７】
〔眼内レンズ挿入器具の実施形態〕
図１は、本発明の実施形態に係る眼内レンズ挿入器具の構成を示す側面図である。
【００１８】
軟質眼内レンズを眼内に挿入するには、眼内レンズ挿入器具を用いることができる。図１に示すように、眼内レンズ挿入器具１０は、円筒体であるシリンダ１１と、シリンダ１１内に収納された円柱のプランジャ１２を備えている。
プランジャ１２は、後端部に押出し操作部１２ａを有する。押出し操作部１２ａを押し出すと、プランジャ１２は、シリンダ１１の軸方向に移動する。
プランジャ１２の先端部には、レンズ保持機構１３が設けられている。レンズ保持機構１３には、眼内レンズ（軟質眼内レンズ）１００が保持される。レンズ保持機構１３は、眼内レンズ１００の移動を制限する固定突起１３ａを有している。
【００１９】
眼内レンズ１００は、光学部１００ａと、光学部１００ａを眼球内に位置固定するための２本の支持部材１００ｂとからなる。支持部材１００ｂは細いひげ状をしている。
【００２０】
シリンダ１１の先端部には、眼球の切開創口に挿入される細径のノズル１４が形成されている。シリンダ１１の後端側には、術者の指に把持される保持片１１ａ，１１ｂが側方に向けて設けられている。
【００２１】
眼内レンズ挿入器具１０は医療用器具であるため、構成部材の材料は、物理的、化学的に安定な材料であることが要求される。特に、眼球の切開創口に挿入される部位の材料は、生物学的に安全性の保証されたものでなければならない。例えば、ＦＤＡ（Food and Drug Administration）やＩＳＯ（International Standardization Organization）でインプラント材料として認定又は規格化されたものである。あるいは、ＩＳＯ１０９９３により行なわれた試験において、問題ないことが確認されたものである。
このような材料として、シリンダ１１の材料としては、ポリエチレンやポリプロピレンなどを用いることができる。
【００２２】
眼内レンズ１００の周囲及びノズル１４内には、粘弾性物質（例えば、ヒアルロン酸ナトリウムなど）が充填されており、眼内レンズ１００に供給される。
【００２３】
プランジャ１２は、シリンダ１１の内径寸法より若干小さな外径寸法を有する後方部分１２ｂと、ノズル１４の内径寸法より若干小さな外径寸法を有する前方部分１２ｃとからなる。
後方部分１２ｂの外周には、スライドリング１が取付けられている。後方部分１２ｂの外周へのスライドリング１の取付けは、後方部分１２ｂの外周の全周に亘る円環溝を設け、この円環溝内にスライドリング１の内周部分を嵌合させることによってなされている。
【００２４】
スライドリング１は、シリンダ１１の内周に摺接する。後方部分１２ｂは、シリンダ１１の内周に対して、スライドリング１を介して摺動可能となっている。前方部分１２ｃは、先端部においてレンズ保持機構１３を押圧して、眼内レンズ１００をノズル１４から押し出して、眼球の切開創口に挿入する。
【００２５】
この眼内レンズ挿入器具１０においては、シリンダ１１に設けられた保持片１１ａ，１１ｂを片手の人差し指及び中指で保持するとともに、親指によりプランジャ１２の押出し操作部１２ａを押圧することにより、眼内レンズ１００は、レンズ保持機構１３から畳み込まれながらノズル１４内へと押し込まれる。この眼内レンズ１００は、ノズル１４から押し出されて、眼球の切開創口内に挿入される。この眼内レンズ挿入器具１０を使用することにより、例えば３ｍｍ以下の切開創口内に、眼内レンズ１００を挿入することが可能である。
【００２６】
眼内レンズ挿入器具１０においては、プランジャ１２とシリンダ１１との間に適度の摺動抵抗（摩擦力）がないと、プランジャ１２の操作感（移動している感覚）がなく、眼内レンズ１００を勢いよく飛び出させてしまう虞がある。
【００２７】
本実施形態の眼内レンズ挿入器具１０では、プランジャ１２の外周部に設けられたスライドリング１が、押出し操作部１２ａを押圧されたプランジャ１２がシリンダ１１に対して移動するときに、シリンダ１１の内周に摺接し、眼内レンズ１００の放出の前後に亘って、シリンダ１１とプランジャ１２との間の適度な摺動抵抗を生じさせる。そのため、この眼内レンズ挿入器具１０においては、眼内レンズ１００を勢いよく飛び出させてしまうことがない。
【００２８】
プランジャ１２がシリンダ１１に対して移動するときに生じる摺動抵抗は、眼内レンズ挿入器具１０の製品個体ごとで所定の範囲内に収まっていることが好ましい。
【００２９】
スライドリング１は、シリンダ１１の内周部に取付け、プランジャ１２の外周部に摺接するようにしてもよい。シリンダ１１の内周部へのスライドリング１の取付けは、シリンダ１１の内周に全周に亘る円環溝を設け、この円環溝内にスライドリング１の外周部分を嵌合させることによってなすことができる。
【００３０】
〔スライドリングの第１の実施形態〕
図２は、本発明の第１の実施形態に係るスライドリングの形状を示す斜視図である。
図３は、図２に示したスライドリングの形状を示す横断面図である。
【００３１】
スライドリング１は、図２及び図３に示すように、ゴム状弾性材料から円環状に形成されたリング本体２と、リング本体２に形成された複数の突起３を備えている。
【００３２】
本実施形態においては、複数の突起３は、リング本体２の内周及び外周に、突出した形状を有し、リング本体２の周方向に沿って、等角度間隔に形成されている一例が示されている。また、複数の突起３は、互いに同一形状である一例が示されている。
【００３３】
リング本体２は、Ｏリングとして形成されるものと同様のものでよく、ニトリルゴム、フッ素ゴム、シリコンゴム等の種々のゴム状弾性材料から、金型成形やプレス成形等により、断面円形の円環状に形成されている。
【００３４】
複数の突起３の表面部は、滑らかな凸面形状に形成されている。複数の突起３は、リング本体２の内周部及び外周部に亘る連続した円環突条として形成されている。
【００３５】
したがって、これら突起３の頂点部近傍は、リング本体２の外周側に位置する円筒内周面（例えばシリンダ１１の内周面）及びリング本体２の内周側に位置する円柱外周面（例えばプランジャ１２の外周面）の何れにも摺接することができる。
【００３６】
突起３の頂点部近傍が、リング本体２の外周側に位置する円筒内周面（例えばシリンダ１１の内周面）又はリング本体２の内周側に位置する円柱外周面（例えばプランジャ１２の外周面）の何れかに摺接している場合において、リング本体２は、円筒内周面及び円柱外周面に、接触しない方が好ましいが、突起３と、円筒内周面及び円柱外周面との間に加わる摺動抵抗に、過度な影響を与えない程度で接触してもよい。
【００３７】
突起３は、等角度間隔に、３箇所設けられること（１２０°間隔）が好ましい。各突起３にかかる荷重が、各突起３の寸法誤差に依らず均等化されるからである。本発明においては、突起３は、等角度間隔に、２箇所設けられてもよいし、４箇所以上設けられていてもよい。
【００３８】
図４は、図２に示したスライドリングの他の構成例を示す平面図である。
【００３９】
突起３は、図４に示すように、偶数個設ける場合には、リング本体２の軸Ａ回りの点対称の位置又は前記リング本体の差渡しに対して線対称の位置に設けることが好ましい。また、突起３は、奇数個設ける場合には、リング本体２の差渡し（軸Ａに直交する直線）に対して線対称の位置に形成されていることが好ましい。
【００４０】
複数の突起３は、互いに同一形状を有していることが好ましい。これにより、突起３にかかる荷重を、各突起３の寸法誤差に依らず均等化できる。また、リング本体２に一体的に形成されていることが好ましい。突起３をリング本体２に一体的に形成する場合において、突起３は、リング本体２と同一の材料によりリング本体２と同時に金型成形により成形してもよいし、リング本体２と異なる材料により２色成形により成形してもよい。
【００４１】
このスライドリング１は、前述した眼内レンズ挿入器具１０に使用した場合（プランジャ１２の外周面に取り付けた場合）には、複数の突起３の頂点部近傍が、シリンダ１１の内周面に摺接する。また、このスライドリング１をシリンダ１１の内周部に取付けた場合にも、複数の突起３の頂点部近傍が、プランジャ１２の外周部に摺接する。
【００４２】
このスライドリング１においては、突起３の幅、径寸法及び数により、相手部品（シリンダ１１）との接触幅を調整することができ、所望の摺動抵抗を発生させることができる。
【００４３】
つまり、このスライドリング１において、突起３の高さ寸法の誤差が公差範囲内において最大となったときにも、シリンダ１１内における各突起３の変位量（圧縮変形量）は、突起３の高さ寸法の公差範囲よりも十分に大きくできる。このため、接触幅を調整することができ、所望の摺動抵抗を発生させることができる。この結果、頂点部近傍が相手部品（円筒内周面又は円柱外周面）に接触しないという事態を回避することができる。
【００４４】
そして、このスライドリング１においては、突起３の突起の総数や接触面積により、各突起３の荷重が計算でき、眼内レンズ１００を挿入するためのプランジャ１２に加える摺動抵抗が設計により制御可能となるため、安定した摺動抵抗を加えることができる。
【００４５】
また、このスライドリング１においては、プランジャ１２又はシリンダ１１の追加加工が不要で、スライドリング１の交換によりプランジャ１２及びシリンダ１１の間の摺動抵抗を容易に調整することができる。
【００４６】
〔スライドリングの第２の実施形態〕
図５は、図２に示したスライドリングの他の構成例を示す横断面図である。
【００４７】
複数の突起３は、図５に示すように、リング本体２とは別体に成形され、後からリング本体２に対して、架橋や接着により取り付けたものであってもよい。
【００４８】
リング本体２とは別に成形した突起３を後からリング本体２に取付けるようにした場合には、従来のＯリングを製造するための金型を流用することができるので、製造コストを下げることができる。
【００４９】
〔スライドリングの第３の実施形態〕
図６は、図２に示したスライドリングのさらに他の構成例を示す横断面図である。
【００５０】
複数の突起３の各々は、図６に示すように、複数の小突起３１の集合であってもよい。
【００５１】
突起３が、複数の小突起３１の集合である場合には、複数の小突起３１に荷重を分散させることができる。このため、１つの小突起３１にかかる荷重を小さくすることができ、均等な荷重となるため、安定した摺動抵抗となる。
【００５２】
〔スライドリングの第４の実施形態〕
図７は、図２に示したスライドリングのさらに他の構成例を示す横断面図である。
【００５３】
複数の突起３は、表面が滑らかな凸面形状であるものに限定されず、図７に示すように、角柱状に形成してもよい。
【００５４】
突起３を角柱状にした場合には、広くなった突起３の頂点に荷重を分散させ、突起３にかかる面積あたりの荷重を小さくすることができるので、均等な荷重となるため、安定した摺動抵抗となる。
【００５５】
〔スライドリングの第５の実施形態〕
図８は、突起をリング本体の外周部のみに設けたスライドリングの形状を示す横断面図である。
【００５６】
複数の突起３は、図８に示すように、リング本体２の外周部に形成し、リング本体２の外周側に位置する円筒内周面に摺接するように形成してもよい。
【００５７】
リング本体２の内周側の突起３が不要である場合に、外周側に突起３を形成するようにすれば、突起３を一体成形する場合であっても後付けする場合であっても、内外周に亘って形成する場合に比較して、製造を容易化することができる。
【００５８】
〔スライドリングの第６の実施形態〕
図９は、突起をリング本体の内周部に設けたスライドリングの形状を示す横断面図である。
【００５９】
複数の突起３は、図９に示すように、リング本体２の内周部に形成し、リング本体２の内周側に位置する円柱外周面に摺接するように形成してもよい。
【００６０】
リング本体２の外周側の突起３が不要である場合に、内周側に突起３を形成するようにすれば、突起３を一体成形する場合であっても後付けする場合であっても、内外周に亘って形成する場合に比較して、製造を容易化することができる。
【符号の説明】
【００６１】
１  スライドリング
２  リング本体
３  突起
３１  小突起
１０  眼内レンズ挿入器具
１１  シリンダ
１１ａ  保持片
１１ｂ  保持片
１２  プランジャ
１２ａ  押出し操作部
１２ｂ  後方部分
１２ｃ  前方部分
１３  レンズ保持機構
１３ａ  固定突起
１４  ノズル
１００  眼内レンズ
１００ａ  光学部
１００ｂ  支持部材
【図１】
2019154582.tif 000003
【図２】
2019154582.tif 000004
【図３】
2019154582.tif 000005
【図４】
2019154582.tif 000006
【図５】
2019154582.tif 000007
【図６】
2019154582.tif 000008
【図７】
2019154582.tif 000009
【図８】
2019154582.tif 000010
【図９】
2019154582.tif 000011